(57)【要約】【課題】  マルチビジョンプロジェクターシステムにおいて、スクリーンに複数の映像を投影してそれぞれの鑑賞領域において映像およびそれに関連する音声を他の映像や音声に妨げられることなく鑑賞でき、スクリーンを有効利用できるとともに各鑑賞領域の映像、音声をそれぞれ独立に鑑賞できるようにする。【解決手段】  投影光５Ａ、５Ｂ、５Ｃを投射する投影器４Ａ、４Ｂ、４Ｃと、投影光５Ａ、５Ｂ、５Ｃの入射方向に応じて少なくとも１つの所定方向に指向性を有する拡散光として投射する反射スクリーン１と、各映像が混じることなく鑑賞できる鑑賞領域Ａ、Ｂ、Ｃと、各映像に対応した音声を各鑑賞領域に個別に放射可能とするスピーカー２０Ａ、２０Ｂ、２０Ｃを備える構成とする。【選択図】      図１
2006154144.tif 000002
【特許請求の範囲】
【請求項１】
映像を互いに異なる方向から投影する複数の投影器と、
該複数の投影器により投影された複数の映像を、入射方向に応じてそれぞれ所定方向に指向性を有する拡散光として投射するスクリーンと、
該スクリーンから投射された複数の映像が混じることなく、それぞれ個別に鑑賞できるようにした複数の鑑賞領域と、
該複数の鑑賞領域で個別に鑑賞される映像に対応した音声を前記複数の鑑賞領域に個別に放射可能とするスピーカーとを備えることを特徴とするマルチビジョンプロジェクターシステム。
【請求項２】
前記スピーカーが、前記スクリーンの近傍に配置され、前記複数の鑑賞領域のそれぞれの方向への指向性を有する音声を放射することを特徴とする請求項１に記載のマルチビジョンプロジェクターシステム。
【請求項３】
前記スピーカーを複数備え、該複数のスピーカーが、前記複数の鑑賞領域の内部または近傍に少なくとも１つずつ配置され、配置された前記鑑賞領域内の範囲に指向性を有する構成とされたことを特徴とする請求項１に記載のマルチビジョンプロジェクターシステム。
【請求項４】
前記スピーカーが、
前記複数の鑑賞領域のそれぞれに向けて音声を放射する音声放射スピーカーと、
前記複数の鑑賞領域のそれぞれに隣接する鑑賞領域からの音声を消音するために前記隣接する鑑賞領域の音声と逆位相に調整された音声を放射する消音スピーカーとからなることを特徴とする請求項１〜３のいずれかに記載のマルチビジョンプロジェクターシステム。
【請求項５】
前記鑑賞領域が、前記スクリーンに向かう方向に開口部を有し開口部を除いて遮音された防音ブース内に設けられたことを特徴とする請求項１〜４のいずれかに記載のマルチビジョンプロジェクターシステム。
【請求項６】
前記複数の投影器からの各映像を、前記複数の鑑賞領域から見て、前記スクリーンの裏面側から投影することを特徴とする請求項１〜５のいずれかに記載のマルチビジョンプロジェクターシステム。
【請求項７】
前記スクリーンが入射光を透過して拡散させる透過型スクリーンからなり、
前記透過型スクリーンが、入射光を少なくとも水平方向において４５°以下の範囲に拡散させることを特徴とする請求項６に記載のマルチビジョンプロジェクターシステム。
【請求項８】
前記複数の投影器からの各映像を、前記複数の鑑賞領域から見て、前記スクリーンの表面側から投影することを特徴とする請求項１〜５のいずれかに記載のマルチビジョンプロジェクターシステム。
【請求項９】
前記スクリーンが入射光を反射して拡散させる反射型スクリーンからなり、
該反射型スクリーンが、入射光を少なくとも水平方向において４５°以下の範囲に拡散させることを特徴とする請求項８に記載のマルチビジョンプロジェクターシステム。
【発明の詳細な説明】
【技術分野】
【０００１】
本発明は、マルチビジョンプロジェクターシステムに関する。例えば、複数の鑑賞者が、互いに異なる映像とそれに対応した音声を同時に鑑賞できるマルチビジョンプロジェクターシステムに関する。
【背景技術】
【０００２】
従来、例えば映写機やプロジェクターなど投影器により、動画、静止画などの映像をスクリーンに投影して鑑賞するプロジェクターシステムは、１つの投影器から１つのスクリーンに映像を投影しその投影方向からある程度の角度範囲に位置する複数の鑑賞者により鑑賞するものと、複数の投影器から１つのスクリーン上の異なる投影領域にそれぞれ映像を投影しそれらの複数の映像の全体を鑑賞する、いわゆるマルチビジョンシステムとがあった。
例えば、特許文献１には、モニタスクリーンに３Ｄ映像などが映し出されるアトラクション会場の内部空間が形成され、椅子に腰掛けたユーザに対して同一の映像等の視覚効果を与えるプロジェクターシステムと、その映像に同期してユーザごとに異なる音声を聞き取らせる音響システムとが記載されている。
【特許文献１】特開２０００−３１８２号公報（第３−５頁、図１、２、４）
【発明の開示】
【発明が解決しようとする課題】
【０００３】
しかしながら、上記のような従来のプロジェクターシステムには、以下のような問題があった。
１つのスクリーンに１つの投影器から映像を投影する場合、例えば、鑑賞者が少人数でもスクリーンが占有されるため、スクリーンや映写室の設備が多くなって効率が悪いという問題がある。
マルチビジョンシステムの場合、１つのスクリーンで複数の映像を投影するので、設備の効率は向上することができるが、互いに関連のない映像が投影される場合、他の映像が鑑賞の妨げとなるという問題がある。
特許文献１に記載の技術をマルチビジョンシステムに適用する場合、各鑑賞者が異なる音声を聞き取ることができるので、音声に対応した映像を選択的に鑑賞しやすくなる効果は期待できるものの、他の映像が視界に入るので視覚的には鑑賞の妨げとなる要因が残るという問題がある。例えば、会議の説明資料など秘密性のある映像は投影するわけにはいかないという問題がある。
一方、１つのスクリーンの共通領域に映像を投影することによりスクリーンを兼用し、異なる映像を異なる音声とともに、異なる鑑賞者グループごとに鑑賞できるようなプロジェクターシステムはこれまで知られていなかった。
【０００４】
本発明は、上記のような問題に鑑みてなされたものであり、スクリーンに複数の映像を投影してそれぞれの鑑賞領域において映像およびそれに関連する音声を他の映像や音声に妨げられることなく鑑賞でき、スクリーンを有効利用できるとともに各鑑賞領域の映像、音声をそれぞれ独立に鑑賞できるマルチビジョンプロジェクターシステムを提供することを目的とする。
【課題を解決するための手段】
【０００５】
上記の課題を解決するために、請求項１に記載の発明では、マルチビジョンプロジェクターシステムにおいて、映像を互いに異なる方向から投影する複数の投影器と、該複数の投影器により投影された複数の映像を、入射方向に応じてそれぞれ所定方向に指向性を有する拡散光として投射するスクリーンと、該スクリーンから投射された複数の映像が混じることなく、それぞれ個別に鑑賞できるようにした複数の鑑賞領域と、該複数の鑑賞領域で個別に鑑賞される映像に対応した音声を前記複数の鑑賞領域に個別に放射可能とするスピーカーとを備える構成とする。
この発明によれば、入射される映像を入射方向に応じてそれぞれに指向性を有する拡散光として投射できるようにしたスクリーンにより、複数の投影器により互いに異なる方向から投影された映像を、所定方向を中心とした拡散光の範囲に投射できる。そのため、１つのスクリーンを兼用して、複数の映像を所定方向に投射し、それぞれの所定方向で、特定の映像のみを鑑賞できる鑑賞領域を設定することができる。そして、スピーカーによりそれら複数の鑑賞領域で鑑賞できる映像に応じた音声を放射するので、鑑賞領域内の鑑賞者は他の映像や音声に妨げられることなく１つの映像と音声とを鑑賞することができる。
【０００６】
請求項２に記載の発明では、請求項１に記載のマルチビジョンプロジェクターシステムにおいて、前記スピーカーが、前記スクリーンの近傍に配置され、前記複数の鑑賞領域のそれぞれの方向への指向性を有する音声を放射する構成とする。
この発明によれば、スピーカーをスクリーンの近傍に配置し、複数の鑑賞領域のそれぞれの方向への指向性を有する音声を放射するので、映像に対応する音声のみをそれぞれの鑑賞領域に確実に放射することができる。また、映像の見える方向から音声が放射されるので、鑑賞者が臨場感のある音声を聞きながら映像を鑑賞することができる。
【０００７】
請求項３に記載の発明では、請求項１に記載のマルチビジョンプロジェクターシステムにおいて、前記スピーカーを複数備え、該複数のスピーカーが、前記複数の鑑賞領域の内部または近傍に少なくとも１つずつ配置され、配置された前記鑑賞領域内の範囲に指向性を有する構成とする。
この発明によれば、複数の鑑賞領域の内部または近傍に、その鑑賞領域内の範囲に指向性を有するスピーカーが少なくとも１つずつ配置されるので、各鑑賞領域内で鑑賞できる映像に対応した音声を確実に放射できる。また、指向性の程度や音量を比較的小さい設定とすることができるため、簡素なスピーカーであっても他の鑑賞領域への音漏れを防止しやすい。
【０００８】
請求項４に記載の発明では、請求項１〜３のいずれかに記載のマルチビジョンプロジェクターシステムにおいて、前記スピーカーが、前記複数の鑑賞領域のそれぞれに向けて音声を放射する音声放射スピーカーと、前記複数の鑑賞領域のそれぞれに隣接する鑑賞領域からの音声を消音するために前記隣接する鑑賞領域の音声と逆位相に調整された音声を発生する消音スピーカーとからなる構成とする。
この発明によれば、スピーカーが、複数の鑑賞領域のそれぞれに音声を放射する音声放射スピーカーと、隣接する鑑賞領域の音声と逆位相に調整された音声を発生する消音スピーカーとからなるので、鑑賞領域のそれぞれにおいて、隣接する鑑賞領域の音声が消音スピーカーの音声と干渉して消音される。そのため、各鑑賞領域で、隣接する鑑賞領域の音声に妨げられることなく、音声放射スピーカーの音声を確実に聞き取ることが可能となる。
【０００９】
請求項５に記載の発明では、請求項１〜４のいずれかに記載のマルチビジョンプロジェクターシステムにおいて、前記鑑賞領域が、前記スクリーンに向かう方向に開口部を有し開口部を除いて遮音された防音ブース内に設けられた構成とする。
この発明によれば、鑑賞領域が防音ブース内に設けられるので、開口部を除く方向から到達する音声を遮音することができるので、スピーカーからの音声がより聞き取りやすくなる。
【００１０】
請求項６に記載の発明では、請求項１〜５のいずれかに記載のマルチビジョンプロジェクターシステムにおいて、前記複数の投影器からの各映像を、前記複数の鑑賞領域から見て、前記スクリーンの裏面側から投影する構成とする。
この発明によれば、リアプロジェクターシステムとなるため、投影器と鑑賞領域とが確実に分離され、レイアウトすることが容易となる。
【００１１】
請求項７に記載の発明では、請求項６に記載のマルチビジョンプロジェクターシステム前記スクリーンが入射光を透過して拡散させる透過型スクリーンからなり、前記透過型スクリーンが、入射光を少なくとも水平方向において４５°以下の範囲に拡散させる構成とする。
この発明によれば、透過型スクリーンが、水平方向において４５°以下の範囲に拡散させるので、水平方向に複数の鑑賞領域を設けることが容易となる。４５°より大きい角度範囲に拡散すると、光軸上を進む映像は分離できるものの、画角が大きい周辺部の映像同士が重なり合い、いわゆるクロストークが発生しやすくなり、複数の鑑賞領域を設けることが困難となる。
【００１２】
請求項８に記載の発明では、請求項１〜５のいずれかに記載のマルチビジョンプロジェクターシステムにおいて、前記複数の投影器からの各映像を、前記複数の鑑賞領域から見て、前記スクリーンの表面側から投影する構成とする。
この発明によれば、フロントプロジェクターシステムとなるので、投影器の配置位置と鑑賞領域とを近接させることができるので、相互の位置関係の調整や投影器の操作が容易となる。また、鑑賞領域にブースなどを構築する場合、投影器の設置部材と兼用することが可能となる。
【００１３】
請求項９に記載の発明では、請求項８に記載のマルチビジョンプロジェクターシステムにおいて、前記スクリーンが入射光を反射して拡散させる反射型スクリーンからなり、該反射型スクリーンが、入射光を少なくとも水平方向において４５°以下の範囲に拡散させる構成とする。
この発明によれば、反射型スクリーンが、水平方向において４５°以下の範囲に拡散させるので、水平方向に複数の鑑賞領域を設けることが容易となる。４５°より大きい角度範囲に拡散すると、光軸上を進む映像は分離できるものの、画角が大きい周辺部の映像同士が重なり合い、いわゆるクロストークが発生しやすくなり、複数の鑑賞領域を設けることが困難となる。
【発明の効果】
【００１４】
本発明のマルチビジョンプロジェクターシステムによれば、複数の投影器により互いに異なる方向から投影された映像をそれぞれ入射方向に応じた所定方向中心に投射し、それぞれの所定方向において特定の映像のみを鑑賞できる鑑賞領域を設けることができるとともに、スピーカーによりそれら複数の鑑賞領域に映像に応じた音声を放射するので、鑑賞領域内の鑑賞者が他の映像や音声に妨げられることなく所定の映像と音声とを鑑賞することができるから、スクリーンを有効利用しつつ、各鑑賞領域の映像、音声を独立させることができるという効果を奏する。
【発明を実施するための最良の形態】
【００１５】
以下では、本発明の実施の形態について添付図面を参照して説明する。すべての図面において、実施形態が異なる場合であっても、同一または相当する部材には同一の符号を付し、共通する説明は省略する。
［第１の実施形態］
本発明の第１の実施形態に係るマルチビジョンプロジェクターシステムについて説明する。
図１（ａ）は、本発明の第１の実施形態に係るマルチビジョンプロジェクターシステムの概略構成について説明するための平面視の模式説明図である。図１（ｂ）は、図１（ａ）におけるａ−ａ断面（ｂ−ｂ断面、ｃ−ｃ断面）の模式説明図である。図２は、本発明の第１の実施形態に係るマルチビジョンプロジェクターシステムに用いる反射型スクリーンの構成を説明するための厚さ方向断面の部分拡大模式図および正面模式図である。
【００１６】
本実施形態のプロジェクターシステム１００（マルチビジョンプロジェクターシステム）は、複数の画像をスクリーンとして反射型スクリーンに投影して、互いに独立した複数の鑑賞領域のそれぞれでそれら複数の画像の１つのみを鑑賞できるように構成されたフロントプロジェクターシステムである。
その概略構成は、図１（ａ）に示すように、投影器４Ａ、４Ｂ、４Ｃ、スクリーン支持部材１４により床２００に対して略垂直に支持された平板状の反射スクリーン１（反射型スクリーン）、およびスピーカー２０Ａ、２０Ｂ、２０Ｃからなる。
【００１７】
投影器４Ａ、４Ｂ、４Ｃは、例えば静止画、動画などの映像の投影に用いる投影光５Ａ、５Ｂ、５Ｃをそれぞれ矩形状などの投影領域に投射できるようにしたもので、例えば、スライド映写機、映写機、ヴィデオプロジェクター、液晶プロジェクターなどの装置あるいはそれらのうち映像を投影する装置部分からなる。つまり、例えば、光源と、光源から放射される光によって照明されるとともに光学像を形成する空間光変調素子と、空間光変調素子上の光学像を投影する投影レンズとを備えるような構成からなる。
そして、例えば曲り梁状などの支持部材１３により床２００上に支持されている。
投影器４Ａ、４Ｂ、４Ｃの構成は、互いに同一または異なる構成を有する別体の装置であってもよいし、映像の出射口の位置が異なっていれば、単一装置から複数の映像を投影する装置部分であってもよい。また制御部や信号源が共通であってもよい。
以下では、投影器４Ａ、４Ｂ、４Ｃに共通する説明を行う場合に添字Ａ、Ｂ、Ｃを省略して投影器４と総称する場合がある。また誤解の恐れがない限り、投影光５Ａ、５Ｂ、５Ｃや、後述する映像反射光６Ａ、６Ｂ、６Ｃも、それぞれ投影光５、映像反射光６と称する場合がある。
【００１８】
投影器４Ｂは、水平方向で反射スクリーン１の略中心を通る法線の方向に位置し、鉛直断面方向では、図１（ｂ）に示すように、反射スクリーン１の中心を通る法線の上側に位置し、反射スクリーン１の中心に光軸を向けて斜め上方から投影光５Ｂを投射できるようになっている。
投影器４Ｂの下方には、投影光５Ｂが反射された映像反射光６Ｂが到達して、反射スクリーン１上の投影光５Ｂの像を鑑賞することができる鑑賞領域Ｂが形成されている。
なお、鑑賞領域Ｂは仮想的な３次元空間の領域であり、図示では２点鎖線の楕円が描かれているものの、本実施形態ではそのような区画線や仕切は存在せず、その代り、内部にテーブル１２が配置され、その周りに適宜人数の鑑賞者７が着席できる椅子など（不図示）が配置されている（後述する鑑賞領域Ａ、Ｃも同様）。したがって、テーブル１２の周りに着席すれば、鑑賞者７の目が確実に鑑賞領域Ｂ内に位置するようになっている。
【００１９】
投影器４Ｂの高さ方向の位置は、適宜の高さに設定できるが、投影および鑑賞が円滑に行えるようにするためには、鑑賞領域Ｂの上側または下側であることが好ましい。反射スクリーン１の前方領域に空きスペースを形成するためには、反射スクリーン１の高さ方向の上下端のさらに上下側に設けることが好ましい。
【００２０】
投影器４Ａ、４Ｃは、図１（ａ）に示すように、投影器４Ｂの水平方向左右に配置され、投影光５Ｂが反射スクリーン１上に投射されたときの領域の範囲に重なるように、投影光５Ａ、５Ｃを投影できるように配置されている。したがって、反射スクリーン１上には、投影光５Ａ、５Ｂ、５Ｃの像が重なり合う共通投影領域３５（共通領域）が形成されている。
そして、投影器４Ａ、４Ｃの下方には、投影光５Ａ、５Ｃが反射スクリーン１で反射された映像反射光６Ａ、６Ｃがそれぞれ到達し、投影光５Ａ、５Ｃの像を鑑賞することができる鑑賞領域Ａ、Ｃが形成されている。
投影器４Ａ、４Ｃの高さ方向の位置は、投影器４Ｂと異なっていてもよく、必要なら反射スクリーン１に対して下側の位置に設けてもよいが、本実施形態では、投影器４Ｂと同じ高さに設定されている。
【００２１】
次に、反射スクリーン１の構成について説明する。
反射スクリーン１は、入射光を入射方向に対して略１８０°をなす方向（所定方向）に反射するとともに、この方向を中心に一定角度、例えば３０°以下の範囲に拡散させるための反射部材である。
ここで、拡散光の角度範囲は、光強度分布のピーク値Ｉｍａｘに対して０．２％以上、および角度範囲における光強度分布の平均値Ｉａｖｅの０．４％以上、のいずれかを満足する角度範囲として定義するものとする。このように構成し、投影側の最大輝度をコントロールすることにより実質的に格段考の角度範囲外に光がもれていないことと同等となる。
反射スクリーン１の概略構成は、図２（ａ）に示すように、拡散板２（拡散素子）、コーナーキューブアレイ３からなり、それらの間隔を一定に保持した状態で、反射スクリーン１の前面側（投影器４側、図示右側）からこの順に配置されている。
反射スクリーン１の正面視形状は、幅Ｗ、高さＨの略矩形状であり、対角長がＬ＝√（Ｗ２＋Ｈ２）である（図２（ｂ）参照）。
【００２２】
拡散板２（拡散素子）は、反射スクリーン１の前面側に、入射光を拡散しつつ透過させる透過拡散面２ａが形成され、コーナーキューブアレイ３に面する側に、透過光を出射する透過面２ｂが形成された平面視略矩形状の板部材である。
拡散板２の材質としては、例えば、合成樹脂、ガラス板などが採用できる。
【００２３】
透過拡散面２ａは、光透過性を有し、透過光が拡散されればどのように形成してもよいが、例えば、マットレリーフ加工などにより表面に微細な凹凸を形成するなどして製作することができる。
また、薄層シート状に形成した透過拡散シートを透明平板上に貼り付けて形成してもよい。
また、基板材料と屈折率の異なる光透過性の微小粉体などを表面に設けたり、板厚内に分散させたりしてもよい。後者の場合、厳密には透過拡散面は形成されないが、拡散板２の板厚が薄い場合には、近似的に板厚中央に透過拡散面が形成されたものと見なすことができる。
透過面２ｂは、光利用効率を向上するためには透過率が高いことが好ましく、必要に応じて反射防止コートを施してもよい。
【００２４】
コーナーキューブアレイ３の一例について、図３を参照して説明する。
図３は、本発明の第１の実施形態に係るマルチビジョンプロジェクターシステムの反射型スクリーンに用いることができるコーナーキューブ群の概略構成を説明するための、平面視模式説明図およびそのＤ−Ｄ断面図である。
【００２５】
コーナーキューブアレイ３は、図３（ａ）、（ｂ）に示すように、３枚の反射面３ｂが互いに直交し、底面が正三角形をなす三角錐部３Ａの底面側に平板部３Ｂが設けられた複数のコーナーキューブプリズム３０が、各三角錐部３Ａの底面の稜線である隣接稜線部３ｄ同士が互いに隣接するように配置された板状部材である。平面視の大きさは、拡散板２と略同じ大きさを有する。
平板部３Ｂの拡散板２側には、拡散板２の透過面２ｂと略平行に配置された入射面３ａが形成されている。
【００２６】
このような配置とするため、隣接する各コーナーキューブプリズム３０の頂点３ｃの最短距離をピッチＬＣと表すと、隣接稜線部３ｄの長さをＬＴとして、次式のように表される。
ＬＣ＝２・ＬＴ／√３                                            ・・・（１）
ピッチＬＣは、三角錐部３Ａの底面の内接円径となっており、コーナーキューブプリズム３０の実質的な大きさの代表値となっている。
ＬＣの大きさは、必要な解像度に応じて設定することができる。例えば、反射スクリーン１上で、幅Ｗの黒ラインと幅Ｗの白ラインが交替するパターンを解像する解像度を設定するには、次式を満足することが必要である。
ＬＣ＜Ｗ                                                        ・・・（２）
また、式（２）を満足しても、拡散板２の拡散領域の範囲が大きく、コーナーキューブプリズム３０の大きさを超えた範囲で拡散されると解像度が低下してしまう。そのため、拡散板２の凹凸のピッチをＬｄとして、次式を満足することが好ましい。
ＬＣ＞Ｌｄ                                                      ・・・（３）
解像力を向上するには、Ｌｄはさらに小さいことが好ましく、次式を満足することがより好ましい。
ＬＣ＞２・Ｌｄ                                                  ・・・（３ａ）
【００２７】
このようなコーナーキューブアレイ３は、例えば、金属を３方向から切削加工して三角錐状の金型を形成し、屈折率が１より大きい透明な合成樹脂材料を成形加工して、金型形状を転写することにより製造することができる。
また、透明基板をフォトリソグラフィプロセスによりエッチングして製造することもできる。
コーナーキューブアレイ３を製造する際、コーナーキューブアレイ３をいくつかに分割したコーナーキューブユニットを製作し、それらを境界で接合するようしてもよい。このようにすれば、大型のコーナーキューブアレイ３を製造することが容易となる。また、例えば金型を製造する場合には、金型の製造が容易となり、精度よい金型を製造できるという利点がある。
また、必要であれば、単一のコーナーキューブプリズム３０をコーナーキューブユニットとしてもよい。
【００２８】
スピーカー２０Ａ、２０Ｂ、２０Ｃは、それぞれ不図示の音源制御装置に接続され、反射スクリーン１に向かって右側の端部、中央裏面側、左側の端部に配置されている。そして、投影光５Ａ、５Ｂ、５Ｃに対応した音声２１Ａ、２１Ｂ、２１Ｃを鑑賞領域Ａ、Ｂ、Ｃ内に向けて放射できるようにしたものである。以下、説明を簡潔にするため、添字Ａ、Ｂ、Ｃを省略して、スピーカー２０、音声２１と総称する場合がある。
スピーカー２０Ａ、２０Ｂ、２０Ｃとしては、音響放射範囲が、鑑賞領域Ａ、Ｂ、Ｃに含まれるような指向性を有する適宜のスピーカーが採用できる。指向性の程度は各鑑賞領域の大きさやスピーカー２０に対する位置関係により適宜に設定できる。
【００２９】
なお、スピーカー２０の音響放射範囲は、それぞれが対応する鑑賞領域と略同じ領域であることが好ましいが、正確に一致する必要はない。ただし、鑑賞領域Ａで音声２１Ａを良好に聞き取るためには、鑑賞領域Ａに音声２１Ａを放射しない場合の鑑賞領域Ａの暗騒音レベルに対して、音声２１Ａの平均音圧レベルが５ｄＢ以上となるようにする。より良好に聞き取るためには６ｄＢ以上とすることが好ましく、略音声２１Ａのみが聞こえるようにするには１０ｄＢ以上とすることが好ましい。鑑賞領域Ｂ、Ｃに対しても音声２１Ｂ、２１Ｃが同様となるようにする。
このようにすれば、音声２１がそれぞれの鑑賞領域から漏れたとしても、各鑑賞領域の鑑賞者７は各鑑賞領域に応じた音声２１を聞き取ることができる。
【００３０】
スピーカー２０の指向性を実現する手段は公知のいかなる手段によってもよい。
高い指向性を実現するためには以下のような公知技術を採用することができる。
例えば、２次元的に配置された複数のスピーカーのそれぞれの音圧および周波数特性を制御するディジタルフィルタなどの制御部を備え、適宜の指向性パターンを有する音声を合成するスピーカーシステムを好適に採用することができる（例えば、特開平５−４１８９７号公報参照）。
また、強力な超音波信号に可聴域の音波を乗せて搬送し、空気の復調作用により放射方向の特定の空間で可聴域成分の音声が放射されるようにしたパラメトリックスピーカーを好適に採用することができる（例えば、特開２０００−３１８２公報参照）。
また、同一音声を放射する複数のスピーカーを列状に配置したり、１つの音源により音響管内を伝搬する音波を音響管と直交する方向に複数箇所から放射可能に設けたりして、特定の領域に同位相の音波を複数放射し、その領域で音圧が増大させることにより、指向性の高い音声を放射するスピーカーシステムを好適に採用することができる（例えば、特開平１１−２３４７８４号公報参照）。
また、例えばセラミック圧電素子などの複数の電気音響変換素子を音響放射方向にスライド可能に配列し、それぞれの電気音響変換素子によりパラメトリックスピーカーを構成し、それぞれの電気音響変換素子の位置を制御することにより、それらが超音波として搬送する可聴域の音声が特定の領域に集まるように構成したスピーカーシステムを好適に採用できる（例えば、特開２００４−１１２２１１公報参照）。
【００３１】
次に本実施形態の反射スクリーン１とプロジェクターシステム１００との作用について順次説明する。
図４（ａ）は、本発明の第１の実施形態に係る反射型スクリーンの作用について説明するための模式説明図である。図４（ｂ）は、同じく反射型スクリーンの指向性について説明するための模式説明図である。図４（ｃ）は、図４（ｂ）の反射光の光強度分布を説明するための模式グラフである。グラフの横軸は反射角度、縦軸は光強度である。図５は、本発明の第１の実施形態に係るマルチビジョンプロジェクターシステムの作用について説明するための平面視の模式光路図である。
【００３２】
図４（ａ）に示すように、１本の光線で表した投影光５が、透過拡散面２ａ上の点Ｐに入射角θで入射するものとする。
投影光５は、透過拡散面２ａに入射すると、透過拡散面２ａに反射防止コートが施されていない場合は、反射光５ｂとして一部が拡散されつつ反射される。
それ以外の光は、透過拡散面２ａを透過して、光軸に対して例えば角度φ１、φ２の範囲で拡散する拡散光５０としてコーナーキューブアレイ３に入射する。
コーナーキューブアレイ３の反射面３ｂ…は、互いに直交しているため、拡散光５０は、再帰性反射される。すなわち、入射角によらず、入射方向に対して１８０°方向に反射され、略拡散された位置に戻る。厳密には平面視で点Ｐからわずかにずれた位置に戻るが、コーナーキューブプリズム３０の大きさを代表するピッチＬＣを十分小さく設定しているので、このずれ量は無視することができる。
したがって、図４（ａ）に示すように、近似的に点Ｐに戻るとしてもよい。すなわち、拡散光５０は、入射角が（θ＋φ１）〜（θ−φ２）の範囲で点Ｐに再入射する。そして、それぞれの光線が再度透過拡散面２ａの拡散作用を受け、（θ＋φ１）〜（θ−φ２）よりやや広い角度範囲（θ＋θ２）〜（θ−θ１）の間の映像反射光６ｃとして光源側（図示右側）に進む。
本実施形態では、拡散板２の拡散の度合を調整して、０°＜θ１≦３０°、０°＜θ２≦３０°としている。そのため、少なくとも３方向から反射スクリーン１に入射させたときに、拡散光をそれぞれ独立の領域に反射させることが可能となっている。より多くの独立の領域に反射させるには、指向性の大きさは、より小さいことが好ましく、例えば、θ１、θ２の値を２５°以内、２０°以内、１０°以内などのように指向性の大きさを調整することが好ましい。
【００３３】
また、本実施形態のように、水平方向に複数の鑑賞領域Ａ、Ｂ、Ｃを設けるには、拡散光の指向性の大きさをそれぞれ水平方向において、４５°以下とすることが好ましい。すなわち、次式を満足することが好ましい。
０°＜θ１＋θ２≦４５°                                        ・・・（４）
式（４）を満足することにより、投影光５の投射画角が大きい場合でも、クロストークの発生を防止することができるので、各投影器４や各鑑賞領域をレイアウトすることが容易となる。
また、本実施形態では、透過拡散面２ａの透過光をコーナーキューブアレイ３で反射して透過拡散面２ａから出射するので、光量損失が少なく光利用効率に優れる反射スクリーンとなっている。
【００３４】
映像反射光６の光強度分布を模式的に示すと、図４（ｂ）のように、角度θ方向に指向性を有する光強度分布を有している。
この光強度分布を、図４（ｃ）に曲線５００として示した。破線で示す曲線５０１は、比較のため、出射角が角度θ方向である一般的な拡散反射面の光強度分布を示したものである。
このような指向性の強さは、角度θ１、θ２の大きさで表され、透過拡散面２ａの拡散の度合を設定することにより可変することができる。本実施形態では、映像反射光６として、大部分が透過拡散面２ａを２回通過する光を用いているので、透過拡散面２ａの拡散の度合を一般の拡散板に比べて半分にすることができる。したがって、それだけ拡散板２の透明度を向上できるから、拡散板２による光量損失を大幅に低減できる。
【００３５】
このように、反射スクリーン１は、投影光５を入射方向に対して略１８０°をなす方向に反射するとともに、角度範囲、例えば（θ１＋θ２）に分布する指向性を有する拡散光として反射することができるものである。
また、本実施形態は、反射スクリーン１に対する入射方向が拡散光の反射方向の範囲に含まれる例ともなっている。
なお、上記の指向性の説明は、図４により垂直方向断面の例で説明したが、水平方向断面でも同様である。
【００３６】
また、本実施形態では、コーナーキューブアレイ３をコーナーキューブプリズム３０により構成するので、反射面３ｂを内部反射面として構成することができ、使用条件によっては、全反射面として使用することが可能となる。そのため反射コートなどを簡素化したり、省略したりすることができるという利点がある。
【００３７】
次にプロジェクターシステム１００の作用について説明する。なお、説明を簡単にするために、図５を参照して２次元的に説明する。
投影器４Ａは、反射スクリーン１から距離ｄだけ離れた位置に配置される。
反射スクリーン１に向けて投影光５Ａが投射されると、点ＫＡから所定の放射角（∠ＳＫＡＴ）で拡がって、反射スクリーン１上の共通投影領域３５に投射される。
反射スクリーン１に投射された投影光５Ａは、反射スクリーン１により、入射方向に対して略１８０°をなす方向に再帰性反射されるとともに、その方向に対して一定の角度範囲（θ１＋θ２）内に拡散された映像反射光６Ａが形成される。ここで、θ１＝∠ＫＡＳＪＡ、θ２＝∠ＫＡＳＭＡとする。
すなわち、投影器４Ａの配置位置では、平面視において、点ＫＡを中心に、線分ＪＡＭＡの範囲に映像反射光６Ａが戻る。
したがって、線分ＪＡＭＡの範囲では、線分ＳＴの範囲の投影光５Ａの情報を観察できる。
【００３８】
同様に、投影器４Ｂからは、投影光５Ｂが点ＫＢから∠ＳＫＢＴの範囲に投射され反射スクリーン１上の線分ＳＴ上で反射される光が映像反射光６Ｂとして、点ＫＢを中心とする線分ＪＢＭＢに戻る。ここで、線分ＳＪＢと線分ＴＭＡとの交点を点Ｑ、反射スクリーン１から点Ｑまでの距離をｄ０とする。
△ＳＱＴの領域は、投影光５Ａ、５Ｂが重なり、両方の像が混在する領域である。つまり、映像反射光６Ａ（６Ｂ）が到達する範囲のうちこの領域以外では、投影光５Ａ（５Ｂ）の像のみを鑑賞することができる。したがって、少なくとも距離ｄ０以上離れた領域では確実に両方の像の混在を避けることができる。
以上は、２次元で説明したが、３次元の場合も同様に理解される。
【００３９】
プロジェクターシステム１００の配置例としては、反射スクリーン１の投影領域の大きさが、Ｗ＝２０００ｍｍ、Ｈ＝１５００ｍｍ、Ｌ＝２５００ｍｍで、拡散光の角度範囲が入射方向に対してθ１＝θ２＝１０°のとき、反射スクリーン１の中心と各投影器４との距離がｄ＝３０００ｍｍ、各投影器４の間の距離がＬｐ＝１４００ｍｍとして構成することができる。
【００４０】
つまり、本実施形態では、鑑賞領域Ａ、Ｂ、Ｃにいる鑑賞者７が、それぞれ投影光５Ａ、５Ｂ、５Ｃの像だけを鑑賞することができる。例えば、外光なども入射方向に略再帰性反射されるので鑑賞の妨げとならない。
上記の説明では、各投影器４が反射スクリーン１から等距離に配置されたものとして説明したが、例えば、投影器４Ａ、４Ｃを反射スクリーン１側に近づけてもよいことは明らかであり、例えば図１のような放射状の配置構成をとることができる。
【００４１】
このような構成によれば、投影光５Ａが、反射スクリーン１により映像反射光６Ａとして再帰性反射して入射方向を中心に拡散反射されて、鑑賞領域Ａで投影光５Ａの像が鑑賞できる。そして、同様にして、投影光５Ｂ、５Ｃが、鑑賞領域Ｂ、Ｃで鑑賞できる。そして、反射スクリーン１に対する距離ｄ、各投影器４の間の距離Ｌｐを適宜設定して、鑑賞領域Ａ、Ｂ，Ｃでは、それぞれ投影光５Ａ、５Ｂ，５Ｃの以外の映像が見えないように設定することができる。
また、各鑑賞領域には、それぞれスピーカー２０Ａ、２０Ｂ、２０Ｃからそれらの鑑賞領域に対してそれぞれ指向性を有する音声２１Ｃ、２１Ｂ、２１Ａが放射され、それによりそれぞれの鑑賞領域内で他の音声、暗騒音に比べて高い音圧レベルとされるので、投影光５Ａ、５Ｂ、５Ｃにそれぞれ対応した音声を鑑賞することができる。
したがって、１つの反射スクリーン１に複数の投影光５を投射して、そのうち１つに対応する映像と音声とを各鑑賞領域で独立に鑑賞することができるので、反射スクリーン１を有効利用することができる。
また、鑑賞領域Ａ、Ｂ、Ｃ以外の領域、例えば、反射スクリーン１から見て鑑賞領域Ａ、Ｂ、Ｃの後側に設けられた領域Ｘ、Ｙなどでは、各鑑賞領域の映像や音声を見たり聞いたりできないので、それらのスペースを他の用途、例えば会議スペースなどとして有効利用することができる。
【００４２】
また、本実施形態によれば、反射スクリーン１の光利用効率が高いことに加え、映像反射光６が指向性を有しているため、比較的低輝度であっても、十分な明るさで鑑賞することができるものである。
また、再帰性反射を用いるので、投影光５の近傍に鑑賞領域を設定することができ、投影位置の調整などが容易となる。
また、各投影器４は各鑑賞領域が重ならなければ、拡散光の角度範囲内で、入射角度を自由に設定できるので、反射スクリーン１に対する投影器４の配置自由度、配置個数の自由度が高いという利点がある。
また、各投影器４の近傍に各鑑賞領域を設けるので、鑑賞者７が鑑賞しながら、投影器４を操作しやすくなるから好都合である。
【００４３】
次に本実施形態の変形例について説明する。
図６は、本発明の第１の実施形態の変形例に係るマルチビジョンプロジェクターシステムの概略構成について説明するための平面視模式図である。
本変形例のプロジェクターシステム１０１（マルチビジョンプロジェクターシステム）は、上記実施形態のプロジェクターシステム１００の反射スクリーン１に代えて、反射スクリーン１０２（反射型スクリーン）を備える。
そして、上記実施形態と同様の構成の投影器４Ａ、４Ｃを備えるが、反射スクリーン１０２に対して、投影器４Ａが入射角θで投影光５Ｃと重なる範囲に投影光５Ａを投射し、投影器４Ｃが投影光５Ａの出射角θの方向から投影光５Ｃを投射するように配置したものである。
また、上記実施形態と同様の構成のスピーカー２０Ａ、２０Ｃを備えるが、この場合、スピーカー２０Ａ（２０Ｃ）からは、鑑賞領域Ａ（Ｃ）で鑑賞される投影光５Ｃ（５Ａ）の投射による等映像に対応する音声２１Ｃ（２１Ａ）を放射する構成とされている。以下、上記実施形態と異なる点を中心に説明する。
【００４４】
反射スクリーン１０２は、入射光を鏡面反射の正反射方向（所定方向）に反射するとともに、正反射方向を中心として所定の角度範囲内に拡散することで、指向性を有する拡散反射部材となっているものである。例えば、各投影器４側が配置されている側（図示右側）から順に配置された拡散部材１０２ａと平滑なミラー面を有する反射部材１０２ｂとにより構成されている。
【００４５】
拡散部材１０２ａとしては、反射部材１０２ｂへの入射光と反射光とを透過させつつ、適宜の角度範囲、例えば入射方向に対して３０°以下の範囲に拡散する透過拡散部材を採用できる。したがって、例えば、拡散板２と同様の構成を採用できる。
ただし、透過拡散面を透過した拡散光の反射部材１０２ｂによる反射光が拡散された位置の近傍を通過するように、拡散部材１０２ａの透過拡散面は、略反射部材１０２ｂ上に設けることが好ましい。
【００４６】
このような構成によれば、投影光５Ａが、反射スクリーン１０２により映像反射光６Ａとして正反射方向を中心に拡散反射されて、鑑賞領域Ｃで投影光５Ａの像が鑑賞できる。また、同様にして、投影光５Ｃの投射による投影像が、鑑賞領域Ａで鑑賞できる。そして、反射スクリーン１０２に対する距離ｄ、投影器４Ａ、４Ｃの間の距離Ｌｐを適宜設定して、鑑賞領域Ａ、Ｃでは、それぞれ投影光５Ａ、５Ｃの像が見えないように設定することができる。
また、鑑賞領域Ａ、Ｃには、それぞれスピーカー２０Ａ、２０Ｃからそれらの鑑賞領域に対してそれぞれ指向性を有する音声２１Ｃ、２１Ａが放射され、それによりそれぞれの鑑賞領域内で他の音声、暗騒音に比べて高い音圧レベルとされるので、投影光５Ｃ、５Ａの投射による投影像にそれぞれ対応した音声を鑑賞することができる。
したがって、１つの反射スクリーン１０２に複数の投影光５を投射して、そのうち１つに対応する映像と音声とを各鑑賞領域で独立に鑑賞することができるので、反射スクリーン１０２を有効利用することができる。
その際、反射スクリーン１０２として平滑なミラー面を有する反射部材１０２ｂを用いることができるので、反射スクリーン１０２を容易に製造することができるという利点がある。
【００４７】
また、このような鏡面の正反射性を有する反射スクリーン１０２の他の例として、反射部材１０２ｂを凹面また凸面のミラーとし、拡散部材１０２ａとの間にフレネルレンズを配置することにより、例えば正反射方向から反射方向をずらしたり、反射光を収束して拡散光が到達する範囲を調整できたりするような構成を採用することもできる。
【００４８】
［第２の実施形態］
次に、本発明の第２の実施形態に係るマルチビジョンプロジェクターシステムについて説明する。
図７（ａ）、（ｂ）は、本発明の第２の実施形態に係るマルチビジョンプロジェクターシステムの概略構成について説明するための斜視模式説明図および各投影光の光軸を含む断面視の模式説明図である。
【００４９】
本実施形態のプロジェクターシステム１０３（マルチビジョンプロジェクターシステム）は、第１の実施形態のプロジェクターシステム１００の構成に追加して防音ブース２２Ａ、２２Ｂ、２２Ｃを備え、スピーカー２０Ａ、２０Ｂ、２０Ｃ、投影器４Ａ、４Ｂ、４Ｃの配置位置を変えたものである。以下、第１の実施形態と異なる点を中心に説明する。
【００５０】
本実施形態では、図７（ａ）、（ｂ）に示すように、投影器４Ａ、４Ｂ、４Ｃは、平面視では第１の実施形態と略同様の位置において反射スクリーン１の下端側となる床２００上の位置に、台状の支持部材１３を介して配置されている。そして、それぞれ反射スクリーン１に向けて斜め上方に投影光５を投射できるようになっている。
投影光５は反射スクリーン１の共通投影領域３５上で、指向性を有する拡散光である映像反射光６Ａ、６Ｂ、６Ｃが反射され、略水平方向の前方領域に互いに独立した鑑賞領域Ａ、Ｂ、Ｃが第１の実施形態と略同様の位置に形成される。
【００５１】
防音ブース２２Ａ、２２Ｂ、２２Ｃ（以下、防音ブース２２と総称する場合がある）は、いずれも、例えば遮音材や吸音材などを用いて壁面部、天井部などを形成し、水平方向の一方に設けられた開口部２２ａを除いて床２００上を覆うようにした構築物である。そして、開口部２２ａを各鑑賞領域に到達する映像反射光６Ａ、６Ｂ、６Ｃが透過できるように配置し、各鑑賞領域が内部に納まる状態で設置される。各防音ブース２２の壁面部、天井部は、鑑賞領域が外光に影響されにくい環境となるように、不透明な材質で構成し、外光を遮光できるようにすることが好ましい。
各防音ブース２２には、それぞれテーブル１２が配置され、その周りに適宜人数の鑑賞者７が着席できる椅子など（不図示）が配置されている。したがって、テーブル１２の周りに着席すると、鑑賞者７の目が確実に鑑賞領域内に位置するようになっている。
スピーカー２０Ａ（２０Ｂ、２０Ｃ）は、防音ブース２２Ａ（２２Ｂ、２２ｃ）内であれば、適宜の位置に配置することができるが、本実施形態では、防音ブース２２Ａ（２２Ｂ、２２Ｃ）の内側の天井部に設置されている。この他にも、テーブル１２の上や防音ブース２２の内側の壁面なども好適である。
【００５２】
本実施形態によれば、各鑑賞領域が防音ブース２２で覆われるので、外部の騒音や他の鑑賞領域の音声を遮音した状態で鑑賞することができる。そのため、本実施形態をシアターレストランに適用する場合、各鑑賞領域において少人数でまとまって、それぞれが好みの映画やスポーツなどの映像、音楽、音響をそれぞれ時間的にも空間的にも独立して楽しむことができる。つまり、好きな時間に好きなディナーショーを楽しむことができるという利点がある。
また、秘密性の高い映像、音声であっても落ち着いて鑑賞することができ、それらを見ながら会議を開く場合などにきわめて好都合である。
また、防音ブース２２の内部にスピーカー２０を配置するため、高い指向性を備えなくとも音漏れを防止できるから、比較的指向性が低い簡素な構成を採用することができるという利点がある。また、スピーカー２０の配置位置、音量などによっては、ほとんど指向性がないスピーカーを採用することもできる。
【００５３】
［第３の実施形態］
次に、本発明の第３の実施形態に係るマルチビジョンプロジェクターシステムについて説明する。
図８（ａ）は、本発明の第３の実施形態に係るマルチビジョンプロジェクターシステムの概略構成について説明するための平面視模式説明図である。図８（ｂ）は、図８（ａ）におけるｅ−ｅ断面（ｆ−ｆ断面、ｇ−ｇ断面）の模式説明図である。
【００５４】
本実施形態のプロジェクターシステム１０４（マルチビジョンプロジェクターシステム）は、第１の実施形態のプロジェクターシステム１００のスピーカー２０Ａ、２０Ｂ、２０Ｃに代えて、スピーカー２４Ａ、２４Ｂ、２４Ｃ（音声放射スピーカー）を備え、さらに消音スピーカー２５Ａ、２５Ｂ、２５Ｃを追加したものである。以下、第１の実施形態と異なる点を中心に説明する。
【００５５】
本実施形態では、図８（ａ）、（ｂ）に示すように、投影器４Ａ、４Ｂ、４Ｃ、反射スクリーン１、鑑賞領域Ａ、Ｂ、Ｃが、第１の実施形態と同様に配置または形成されている。
スピーカー２４Ａ（２４Ｂ、２４Ｃ）は、スピーカー２０などと同様の構成を有し鑑賞領域Ａ（Ｂ、Ｃ）に向けて指向性を有する音声２１Ａを放射するもので、音源制御装置２７Ａ（２７Ｂ、２７ｃ）に接続されている。そして、例えば柱状などの支持部材１３により床２００上に支持されて、鑑賞領域Ａ、Ｂ、Ｃの上方を略覆うように設けられた取付板２３Ａ（２３Ｂ、２３Ｃ）の下面側に設置されている。
取付板２３Ａ（２３Ｂ、２３Ｃ）は、鑑賞領域Ａ（Ｂ、Ｃ）に対してスピーカー２４Ａ（２４Ｂ、２４Ｃ）を位置決めして保持するとともに、それらの後方（図示上側）からの騒音を遮音する機能を有している。
スピーカー２４Ａ、２４Ｂ、２４Ｃは、図８には複数設けた例を示しているが、例えば鑑賞領域が狭いなどの場合は１つでもよい。
【００５６】
消音スピーカー２５Ａ（２５Ｂ、２５Ｃ）は、鑑賞領域Ａ（Ｂ、Ｃ）に向けて他の鑑賞領域から漏れる音声など鑑賞の妨げとなる音声を消音するための消音音波２６Ａ（２６Ｂ、２６Ｃ）を放射するためのもので、音源制御装置２７Ａ（２７Ｂ、２７ｃ）に接続されている。効率的に消音を行うために適宜の指向性を有することが好ましい。
消音スピーカー２５Ａ（２５Ｂ、２５Ｃ）は、取付板２３Ａ（２３Ｂ、２３Ｃ）の下面側に位置決めして設置されている。消音スピーカー２５Ａ（２５Ｂ、２５Ｃ）は、図８には複数設けた例を示しているが、例えば鑑賞領域が狭いなどの場合は１つでもよい。
【００５７】
音源制御装置２７Ａ（２７Ｂ、２７Ｃ）は、スピーカー２４Ａ（２４Ｂ、２４Ｃ）が音声２１Ａ（２１Ｂ、２１Ｃ）を適宜の音量で放射するための制御を行うとともに、鑑賞領域Ａ（Ｂ、Ｃ）内に放射されるべき音声２１Ａ（２１Ｂ、２１Ｃ）以外の音声を消音するための消音音波２６Ａ（２６Ｂ、２６Ｃ）を消音スピーカー２５Ａ（２５Ｂ、２５Ｃ）から放射するための制御を行う。
各鑑賞領域において鑑賞の妨げとなりやすいのは隣接する鑑賞領域からの漏れ伝わる音声であるから、例えば、消音音波２６Ｂとして、隣接する鑑賞領域Ａ、Ｃから漏れてくる音声２１Ａ、２１Ｃと逆の位相を有する音波を採用することができる。そして、鑑賞領域Ｂ内に到達した音声２１Ａ、２１Ｃとの干渉を利用して音圧レベルを低減するようにしている。
また、消音音波２６Ａ、２６Ｃは、同様に、音声２１Ｂを消音するために音声２１Ｂと逆の位相を有する消音音波２６Ａ、２６Ｃを採用することができる。
【００５８】
本実施形態によれば、音源制御装置２７Ａ、２７Ｂ、２７Ｃにより消音音波２６Ａ、２６Ｂ、２６Ｃを発生させ、その音圧レベルを制御して最適な干渉波を形成することにより消音を行うことができる。例えば、鑑賞領域内にモニタマイクを設けて、消音すべき音声をモニタしながら消音制御を行ってもよいし、各鑑賞領域の位置関係などから予想される特定の鑑賞領域に漏れる音声の大きさなどを元に消音音波の音圧レベルを制御したりしてもよい。また、消音のレベルは、第１の実施形態で説明したのと同様に、例えば、−５ｄＢ、−６ｄＢ、−１０ｄＢなどのレベルを必要に応じて選択できる。
このようにして、各鑑賞領域で、隣接する鑑賞領域からの漏れ音声が消音されるから、例えば防音ブースなどに覆われていなくても、隣接する鑑賞領域からの漏れ音声に妨げられることなく映像および音声を鑑賞できる。そのため、防音ブースなどの設備を設けることなく、開放的な雰囲気で鑑賞することができる。
【００５９】
また、本実施形態では、消音スピーカー２５Ｂは複数設けられているので、消音音波２６Ｂは、異なる消音スピーカー２５Ｂから、音声２１Ａを消音する音波と、音声２１Ｃを消音する音波とを別々に放射するような構成としてもよい。
【００６０】
また、隣接する鑑賞領域からの漏れ音声だけでなく、各鑑賞領域に対応した音声２１、（例えば、音声２１Ｂとする）以外の音声をすべて消音するようにしてもよい。例えば、消音したい鑑賞領域Ｂの音声を拾うマイク（不図示）を設け、そのマイクが拾った音声から音声２１Ｂ成分を差し引いた音声信号から逆位相の音声信号を生成する信号処理を、音源制御装置２７Ａ、２７Ｂ、２７Ｃで行い、そのように逆位相の音声信号に基づいて消音音波２６Ａ、２６Ｂ、２６Ｃを発生させるようにしてもよい。
このように、逆位相に調整される音声は、少なくとも音声２１Ａ、２１Ｃを含んでいればよく、それ以外の騒音成分を含んでいてもよいものである。
この場合、鑑賞領域の大きさに応じて、指向性の高い複数の消音スピーカーを設けて、細かい領域に分けて消音を行うとより高い消音効果が得られる。
【００６１】
［第４の実施形態］
次に、本発明の第４の実施形態に係るマルチビジョンプロジェクターシステムについて説明する。
図９（ａ）は、本発明の第４の実施形態に係るマルチビジョンプロジェクターシステムの主要部の概略構成について説明するための背面側からの斜視模式説明図である。図９（ｂ）は、図９（ａ）における各投影光の光軸を含む断面視の模式説明図である。図９（ｃ）は、図９（ｂ）の平面視の模式光路図である。
【００６２】
本実施形態のプロジェクターシステム１０５（マルチビジョンプロジェクターシステム）は、第１の実施形態のプロジェクターシステム１００の反射スクリーン１に代えて、背面投射スクリーン１１０（透過型スクリーン）を備えたリアプロジェクターシステムである。そして、図９（ａ）、（ｂ）に示すように、投影器４Ａ、４Ｂ、４Ｃ、スピーカー２０Ａ、２０Ｂ、２０Ｃは、背面投射スクリーン１１０の背面側に配置されている。これらは、適宜の筐体内に収納されプロジェクター装置１０６を構成している。
このため、スクリーンの前方領域は、図１のスクリーンの前方領域と略同一の構成を有するので、図示および説明を省略する。以下、第１の実施形態と異なる点を中心に説明する。
【００６３】
背面投射スクリーン１１０は、背面側に投影された像を入射光の光軸に沿う方向を所定方向として、拡散しつつ透過させる透過拡散面を有する光透過性のスクリーンである。例えば、拡散板２と同様な構成を採用できる。本実施形態では、背面投射スクリーン１１０上に拡散光を得るための規則正しい拡散パターンが形成され、そのパターンのピッチを適宜調整することにより、拡散光の水平方向の角度範囲が、θ１＋θ２＝２０°となる構成を採用している。
そして、プロジェクター装置１０６の前面側（図９（ｂ）の図示左側）に略垂直方向に設けられている。
【００６４】
投影器４Ａ、４Ｂ、４Ｃは、図９（ａ）、（ｃ）において、図示左側から鑑賞領域Ａ、Ｂ、Ｃが形成されるように、図示左側から投影器４Ｃ、４Ｂ、４Ａの順に配置され（図９（ａ）参照）、図９（ｂ）に示すように、背面投射スクリーン１１０の下方側に配置され、鉛直上方に対してわずかに傾斜した方向に各投影光５を投射できるようになっている。
なお、本実施形態では、各投影光５がすべて共通投影領域３５上に投射された例となっている。
図９（ｂ）において、符号４５、４６、４７は、それぞれ光源、空間変調素子、投影レンズを示す。
【００６５】
各投影器４の上方には、それぞれから投射された各投影光５を折り返して背面投射スクリーン１１０に入射させるための折り返しミラー２８が、背面投射スクリーン１１０の方向に傾斜して設けられている。
【００６６】
スピーカー２０Ａ、２０Ｂ、２０Ｃは、背面投射スクリーン１１０の下側のプロジェクター装置１０６内部に、図９（ａ）の左側からの順に配置されている。そしてそれぞれ鑑賞領域Ａ、Ｂ、Ｃの方向に向けられている。すなわち、音響放射の中心軸が各鑑賞領域に向けられているか、適宜、指向性が調整されて指向性中心が各鑑賞領域に向けられている。
【００６７】
本実施形態のプロジェクターシステム１０５によれば、各投影器４から投射された投影光５が折り返しミラー２８で反射され、それらの像が背面投射スクリーン１１０上に投影される。そして、図９（ｃ）に示すように、入射方向に沿って背面投射スクリーン１１０を透過しつつ拡散され、対応する鑑賞領域への指向性を有する映像透過光６０Ａ、６０Ｂ、６０Ｃが形成される。
このためスクリーンが、反射型スクリーンであるか透過型スクリーンであるかの違いはあるものの、第１の実施形態と同様にして、各投影光５の像がそれぞれ対応した鑑賞領域のみで鑑賞できるものである。
一方、スピーカー２０Ａ、２０Ｂ、２０Ｃによれば、第１の実施形態と同様に各鑑賞領域内で、各投影光５に対応した音声２１Ａ、２１Ｂ、２１Ｃが鑑賞できるものである。
【００６８】
このように、本実施形態では、透過型スクリーンを用いたリアプロジェクターシステムにおいて、第１の実施形態と同様の作用効果を備える例となっている。
このようにリアプロジェクターシステムによれば、投影器が、スクリーンの背面側に設けられるので、スクリーンの前方領域に大きな空きスペースが形成されるという利点がある。
【００６９】
また、本実施形態は、各投影器４をプロジェクター装置１０６内で背面投射スクリーン１１０に対して移動できるような構成に変形してもよい。例えば、背面投射スクリーン１１０に対して略平行な水平方向に移動したり、背面投射スクリーン１１０に対する入射方向を変えるように移動したりする構成とすることができる。つまり、移動量や傾斜角度を可変できるアクチュエータや移動ステージ上に投影器４を配置して、適宜移動制御できるようにしておく。
その際、各投影光５が背面投射スクリーン１１０上で重なり合う共通投影領域３５の大きさや範囲は、同一としてもよいし、可変するようにしてもよい。
【００７０】
このような構成によれば、投影器４Ａが予め移動可能な状態でプロジェクター装置１０６内に設けられているので、簡単な操作により、鑑賞領域が形成される空間を移動することができる。したがって、例えば使用目的や鑑賞者の人数などに応じて、鑑賞領域のレイアウト変更が容易となるという利点がある。
【００７１】
なお、上記の第１〜第３の実施形態の説明では、コーナーキューブ群の例として、各コーナーキューブが互いに隣接する稜線が正三角形をなす場合の例で説明したが、他の例として、互いに隣接する稜線が平面視正六角形をなすタイプの構成を用いてもよい。
【００７２】
また、上記の第１の実施形態の説明では、反射スクリーン１として、拡散板２とコーナーキューブアレイ３とからなる例で説明したが、例えば、コーナーキューブアレイ３の入射面３ａを透過拡散面２ａとすることにより、透過拡散面が一体化されたコーナーキューブアレイを採用してもよい。この場合、光透過面が削減されるため光利用効率をより向上することができるとともに、部品数が低減できるため安価な構成とすることができるという利点がある。
【００７３】
また、上記の第１の実施形態の説明では、拡散板２として投影装置側に透過拡散面２ａを設けた例で説明したが、透過面２ｂを滑らかな平面または曲面で構成し、透過面２ｂを投影装置側、透過拡散面２ａをコーナーキューブアレイ３側に配置した構成としてもよい。
この場合、透過拡散面２ａが表面に露出しないので、ゴミや汚れに強い構成とすることができるという利点がある。仮に透過面２ｂにゴミや汚れが付着した場合でも、滑らかな平面または曲面からなるため、容易に清掃することができる。
【００７４】
また、上記の第１の実施形態の説明では、プリズムからなるコーナーキューブアレイの例で説明したが、反射面３ｂとして表面反射ミラーを用いるリフレクター型コーナーキューブアレイを用いてもよい。
この場合、光透過性を有しない材料でもコーナーキューブアレイを構成することができるという利点がある。
【００７５】
また、上記の説明では、投影器が３つもしくは２つの場合の例で説明したが、鑑賞領域が重ならない構成であれば、１つ以上何個設けられていてもよい。
投影器が１つで、スピーカーもそれに対応して１つの場合は、どのように構成しても映像、音声が他の鑑賞領域と重なるという問題は生じないが、鑑賞領域を限定的に設定できるため、秘密性を必要とする例えば会議などのために鑑賞領域をブースやついたてなどにより覆うことなく容易に設定できるものである。また、その他の空間を鑑賞目的以外の用途に有効活用できるという利点がある。
【００７６】
また、上記の説明では、複数の映像は、互いに異なる場合を想定して説明したが、異なる方向から反射スクリーンに入射されるものであれば、一部または全部が同じでもよい。
全部が同じ場合にはクロストークの問題は生じないものの、大画面であっても空間的に限定された複数の鑑賞領域を設けることができるという利点を有することは同様である。
また、同一の映像であっても、鑑賞領域ごとに異なる音声を放射するようにしてもよい。例えば、同一の外国語映画をある鑑賞領域では字幕版で上映し、別の鑑賞領域では吹替版上映するといったような単一スクリーンからなる映画館を構成することができる。
【００７７】
また、上記の説明では、反射スクリーンの形状は、平板状として説明したが、鑑賞しやすいようにわずかに湾曲されていてもよい。
【００７８】
また、上記の説明では、好ましい例として、複数の投影器から反射スクリーンに対して異なる方向から入射される映像のすべてが、反射スクリーン上の共通領域で反射される例を中心に説明したが、少なくとも２つの映像の一部が共通領域で反射されていれば、その分だけ反射スクリーンを有効利用できるものである。
【００７９】
また、上記の説明では、鑑賞領域が仮想的な空間として説明したが、例えば、防音ブースに限らず、床上に区画線を設けたり、仕切板やブースなどを配置したりして、鑑賞領域を可視化したり、実体化してもよいことは言うまでもない。
【００８０】
また、上記の説明では、映像が反射または透過される所定方向が１つの場合で説明したが、複数の所定方向に反射または透過され、それぞれの方向で拡散される構成としてもよい。そうすれば、同一の映像を複数の鑑賞領域で鑑賞することができる。
例えば、透過拡散面とコーナーキューブアレイとの間にハーフミラーを形成して、映像光を分岐すれば、入射方向と正反射方向との２方向を所定方向とする反射スクリーンを構成することができる。
【００８１】
また、上記の第１〜第３の実施形態の説明では、映像が反射される所定方向が、入射方向に対して略１８０°をなす再帰性反射方向の場合と、出射方向が反射面の法線に対して入射方向と線対称をなす鏡面の正反射方向の場合とで説明したが、映像が反射される所定方向はこれらに限定されるものではない。例えば、反射スクリーンにより拡散光の指向性に偏りを設けて拡散光の中心方向を変えれば、再帰性反射方向と鏡面の正反射方向と異なる所定方向に指向性を有する拡散光を形成することができる。
【００８２】
また、上記の第１の実施形態の変形例の説明では、反射スクリーン１０２を用いて、平面視の入射角が±θの投影器Ａ、Ｃを用いる例で説明したが、平面視の入射角が０°の位置に投影器を配置できないことを意味するものではない。反射スクリーン１０２の構成であっても、θの大きさや、投影器の設置高さによる高さ方向の入射角度によっては、平面視の入射角０°で投影光を投射し、その投影光の像のみが鑑賞できる鑑賞領域を設けることができる。
また、鏡面の正反射方向を所定方向とする反射スクリーンは、反射スクリーン１０２の構成に限定されるものではない。
【００８３】
また、上記の説明では、拡散素子として板部材の例で説明したが、滑らかな平面または曲面と、透過拡散面とを備えていれば、板部材に限定されるものではない。例えば、フィルム、シート部材などの板部材以外の形態も採用することができる。
【００８４】
また、上記の各実施形態および変形例に記載された技術は、可能であれば、本発明の技術的思想の範囲で適宜組み合わせて用いることができる。例えば、フロントプロジェクターシステムとリアプロジェクターシステムとを置換したり、スピーカーの配置位置や防音ブースの有無などを組み合わせたりすることは適宜実施できる。
【図面の簡単な説明】
【００８５】
【図１】本発明の第１の実施形態に係るマルチビジョンプロジェクターシステムの概略構成について説明するための平面視の模式説明図およびそのａ−ａ断面（ｂ−ｂ断面、ｃ−ｃ断面）の模式説明図である。
【図２】本発明の第１の実施形態に係るマルチビジョンプロジェクターシステムに用いる反射型スクリーンの構成を説明するための厚さ方向断面の部分拡大模式図および正面模式図である。
【図３】本発明の第１の実施形態に係るマルチビジョンプロジェクターシステムの反射型スクリーンに用いることができるコーナーキューブ群の概略構成を説明するための、平面視模式説明図およびそのＤ−Ｄ断面図である。
【図４】本発明の第１の実施形態に係る反射型スクリーンの作用および指向性について説明するための模式説明図、およびその反射光の光強度分布を説明するための模式グラフである。
【図５】本発明の第１の実施形態に係るマルチビジョンプロジェクターシステムの作用について説明するための平面視の模式光路図である。
【図６】本発明の第１の実施形態の変形例に係るマルチビジョンプロジェクターシステムの概略構成について説明するための平面視模式図である。
【図７】本発明の第２の実施形態に係るマルチビジョンプロジェクターシステムの概略構成について説明するための斜視模式説明図および各投影光の光軸を含む断面視の模式説明図である。
【図８】本発明の第３の実施形態に係るマルチビジョンプロジェクターシステムの概略構成について説明するための平面視の模式説明図およびそのｅ−ｅ断面（ｆ−ｆ断面、ｇ−ｇ断面）の模式説明図である。
【図９】本発明の第４の実施形態に係るマルチビジョンプロジェクターシステムの主要部の概略構成について説明するための背面側からの斜視模式説明図、その各投影光の光軸を含む断面視の模式説明図、およびその平面視の模式光路図である。
【符号の説明】
【００８６】
１、１０２  反射スクリーン（反射型スクリーン）
２  拡散板（拡散素子）
２ａ  透過拡散面
２ｂ  透過面
３  コーナーキューブアレイ
３Ａ  三角錐部
３ａ  入射面
３ｂ  反射面
３ｃ  頂点
４Ａ、４Ｂ、４Ｃ  投影器
５Ａ、５Ｂ、５Ｃ  投影光
６Ａ、６Ｂ、６Ｃ  映像反射光
２０Ａ、２０Ｂ、２０Ｃ  スピーカー
２１Ａ、２１Ｂ、２１Ｃ  音声
２２Ａ、２２Ｂ、２２Ｃ  防音ブース
２２ａ  開口部
２４Ａ、２４Ｂ、２４Ｃ  スピーカー（音声放射スピーカー）
２５Ａ、２５Ｂ、２５Ｃ  消音スピーカー
２６Ａ、２６Ｂ、２６Ｃ  消音音波
２７Ａ、２７Ｂ、２７Ｃ  音源制御装置
３０  コーナーキューブプリズム
３５  共通投影領域（共通領域）
５０  拡散光（透過光）
６０Ａ、６０Ｂ、６０Ｃ  映像透過光
１００、１０１、１０３、１０４、１０５  プロジェクターシステム（マルチビジョンプロジェクターシステム）
１０２ａ  拡散部材
１０２ｂ  反射部材
１１０  背面投射スクリーン（透過型スクリーン）
【図１】
2006154144.tif 000003
【図２】
2006154144.tif 000004
【図３】
2006154144.tif 000005
【図４】
2006154144.tif 000006
【図５】
2006154144.tif 000007
【図６】
2006154144.tif 000008
【図７】
2006154144.tif 000009
【図８】
2006154144.tif 000010
【図９】
2006154144.tif 000011